(57)【要約】【課題】トイレ室内の照明では照射できない便器の隅々まで照らすようにして、便器の隅々の汚れを確認して綺麗に掃除できるようにしたトイレ用リモコンを提供する。【解決手段】トイレ用リモコンの本体部１に、照明ランプ１０を設けた構成としている。【選択図】図１
2007255140.tif 000002
【特許請求の範囲】
【請求項１】
本体部に、照明ランプを設けたことを特徴とするトイレ用リモコン。
【請求項２】
請求項１において、
上記照明ランプは、上記リモコンの本体部に収納可能にしているトイレ用リモコン。
【請求項３】
請求項１または２において、
上記照明ランプは、照射方向が変更可能な構造になっているトイレ用リモコン。
【請求項４】
請求項１〜３のいずれかにおいて、
本体部の背面にスタンド用支持具を備えているトイレ用リモコン。
【請求項５】
請求項１〜３のいずれかにおいて、
壁面に取付けたホルダーに、本体部を取り外し可能に支持しているトイレ用リモコン。
【請求項６】
請求項１〜３のいずれかにおいて、
便器の便座に取り外し可能にしているトイレ用リモコン。
【発明の詳細な説明】
【技術分野】
【０００１】
本発明は、トイレ用リモコンの改良に関する。
【背景技術】
【０００２】
近時の洋風便器はトイレ用リモコンを設けたものが多く使用されている。このようなトイレ用リモコンを設けた洋風便器として下記特許文献１に示したものが存在するが、この種のトイレ用リモコンは、壁面などに取り付けられており、おしり洗浄、ビデ洗浄、乾燥などの制御項目を実行するための操作釦を備えており、操作釦を操作すれば、赤外線などの光制御信号が衛生洗浄装置本体に送信されて制御項目に応じた処理が実行される。
【特許文献１】特開２００２−７０１１６号公報
【発明の開示】
【発明が解決しようとする課題】
【０００３】
本発明は、このような事情を考慮して提案されるものであり、トイレ室内の照明では陰になるなどして充分に確認できない部分まで照らし、そのため便器の隅々の汚れを確認して綺麗に掃除できるようにしたトイレ用リモコンを提供することを目的とする。
【課題を解決するための手段】
【０００４】
上記目的を達成するため、請求項１では、本体部に、照明ランプを設けたことを特徴とする。
請求項２では、照明ランプは、リモコンの本体部に収納可能にしている。
請求項３では、照明ランプは、照射方向が変更可能な構造になっている。
請求項４では、照明ランプを備えた本体部はスタンド用支持具を備えてお
り、請求項５では、壁面に取付けたホルダーに、本体部を取り外し可能に支
持できる構造とされ、請求項６では、本体部を便器の便座に取り外し可能に
している。
【発明の効果】
【０００５】
本発明の請求項１によれば、本体部に照明ランプを設けているので、トイレ室内の照明では陰になりやすい箇所も照射できるので、便器の隅々の汚れを確認して掃除できる。
請求項２によれば、照明ランプを使用しないときには本体部に収容することができ、便利である。
請求項３によれば、照明ランプは、照射方向が変更可能な構造としているので、リモコンを差し入れるスペースがない箇所でも、照明ランプの照射方向を変更して、便器の隅々を照射し、確認することができる。
【０００６】
請求項４によれば、スタンド用支持具を設けているので、自立型トイレ用リモコンとしてトイレカウンタなどに設置できる。
請求項５によれば、壁面に取り付けたホルダーに本体部を取り外し可能に支持しているので、壁面設置型トイレ用リモコンとして使用できる。
請求項６によれば、便器の便座に取り外し可能にしているので、便座収容型トイレ用リモコンとして使用できる。
【発明を実施するための最良の形態】
【０００７】
以下に、本発明の実施の形態について説明する。
【実施例１】
【０００８】
図１は、本発明のトイレ用リモコンの外観構成を示す正面図である。
このトイレ用リモコンＡは、手で持って操作できる大きさの本体部１の背面に、スタンド用支持具２を備えた自立型トイレ用リモコンを構成している。
このようなトイレ用リモコンＡは、電池式で作動されるが、電池は乾電池、充電式電池のいずれのタイプでもよい。
【０００９】
本体部１は、照明ランプ１０、おしり洗浄などの各種操作ボタン１１〜１４を有し、本体部１の上方には、照明ランプ１０を点灯、消灯させるためのスライド式のランプ用スイッチ１５とを備えている。
おしり洗浄などの各種操作ボタン１１〜１４を操作すると、各制御項目に応じた光制御信号を、図示しない衛生洗浄装置の受光部に出力して、各制御項目を実行させることができる。
【００１０】
なお、この例では、照明ランプ１０は本体部１の左側面に設けているが、これには限られず、本体部１の形状に応じて、右側面、正面など、便器を照射しやすい位置に設ければよい。
【００１１】
図２（ａ）〜（ｄ）は、照明ランプを本体部に収納可能にした本発明のトイレ用リモコンＢの他例の外観構成を示す図である。
（ａ）は照明ランプを収納した状態を示す背面図、（ｂ）は照明ランプを取出した状態を示す背面図、（ｃ）は照明ランプの詳細図、（ｄ）は照明ランプの収納部の縦断面構造図である。
【００１２】
このトイレ用リモコンＢでは、照明ランプ１０Ａは、本体部１の背面にスタンド用支持具として設けた支持板２を開いた部分に、照明ランプ１０Ａを収納するための凹所１６を設けており、支持板２を開くと、そのまま本体部１を自立することができる。
【００１３】
照明ランプ１０Ａは、下端に筒状関節体１０ｅを設けた軸体１０ｃの上方に基台筒１０ｂを回動可能に固着するとともに、その基台筒１０ｃの両側に突出させた1組の支持片に、ネジなどでランプヘッド１０ａを枢支させて傾動可能にしており、さらに凹所１６の上方には、軸体１０ｃに一体にされた関節体１０ｅを回動可能に収容する空所１８を形成するとともに、その空所１８の上方に、該凹所１６よりも幅の狭い溝孔１７を連通形成して、その溝孔１７から軸体１０ｂを突出させるようにしている。
【００１４】
また、ランプヘッド１０ａから導出したリード線３は、基台筒１０ｂ、軸体１０ｃを貫通し、更に軸体１０ｃに形成した孔部より出て本体部１に入り、本体部１の電源部に接続され、電源供給を受けるようにしている。
【００１５】
したがって、このような構造によれば、本体部１に設けた支持板２を開くと、図２（ａ）に示したように、凹所１６に収納された照明ランプ１０Ａが露見するので、凹所１６に収納された照明ランプ１０Ａを引き出し、軸体１０ｃを起立させれば、ランプヘッド１０ａを本体部１の外方に突出させることができる。また、ランプヘッド１０ａは、基台筒１０ｃに対して傾動可能とされ、更に、この基台筒１０ｃは、軸体１０ｄに対して回動可能になっているので、ランプヘッド１０ａは水平方向に３６０度回動し、かつ上下方向に１８０度傾動させることができるので、照射方向を任意の方向に変更可能である。
【００１６】
なお、ランプヘッド１０ａの本体部１からの取り出しは、指で行ってもよいが、凹所１６に弾性体を設けて支持板２を開いたときに、本体部１から外方に突出させたり、公知の連動機構を設けるなどして、操作釦を操作したときに、本体部１より外部に突出させる構造にしてもよい。
【００１７】
図３は、自立型トイレ用リモコンの使用態様の一例を示す図である。
トイレ用リモコンＣは、本体部１の背面にあるスタンド支持具２を立てることで、便器４がセットされたトイレ室のトイレカウンタ５の天板５１上に設置して使用できる。この例では、照明ランプ１０は本体部１の側面に露出させて設けているが、本体部１に収納できる構造にしてもよいことはいうまでもない。
【００１８】
図４は、壁面取付型トイレ用リモコンの使用態様の一例を示す図である。
トイレ用リモコンＤは縦長形状とされ、壁面に取り付けたホルダー６に、取り外し可能に支持された構造になっている。この例では、照明ランプ１０は本体部１の上面に露出させて設け、押しボタン式のランプ用スイッチ１５´を設けている。
【００１９】
図５は、便座取付型トイレ用リモコンの使用態様の一例を示す図である。
トイレ用リモコンＥは、便器４の肘座４１の一部に取り外し可能に装着され、本体部１の前方に照明ランプ１０を設け、押しボタン式のランプ用スイッチ１５´を設けている。
【００２０】
なお、このトイレ用リモコンＥは、便座に取り外し可能な構成にしている以外、トイレ用リモコンＡと基本構成は同一である。
【００２１】
トイレ用リモコンは、前述した以外にも、種々の実施態様で実施できるが、いずれも場合にも、照明ランプは消費電力の小さいＬＥＤなどで構成することが望ましく、充電可能な電池を用いた構造とすれば、乾電池のように取り替えを頻繁に行う必要がなくなり、便利である。
【図面の簡単な説明】
【００２２】
【図１】本発明のトイレ用リモコンの第一の実施例の外観構成図
【図２】本発明のトイレ用リモコンの他例の外観構成を示す図であり、（ａ）は照明ランプを収納した状態を示す背面図、（ｂ）は照明ランプを取出した状態を示す背面図、（ｃ）は照明ランプの構造説明図、（ｄ）は照明ランプの収納部の縦断面構造図である。
【図３】自立型トイレ用リモコンの使用態様の一例を示す図
【図４】壁面取付型トイレ用リモコンの使用態様の一例を示す図
【図５】便座取付型トイレ用リモコンの使用態様の一例を示す図
【符号の説明】
【００２３】
Ａ，Ｂ、Ｃ、Ｄ、Ｅ  トイレ用リモコン
１  本体部
１５，１５´  ランプ用スイッチ
２  スタンド用支持具
４  便器
４１  肘座部
５  トイレカウンター
５１  天板
６  壁面取付ホルダー
１０、１０Ａ  照明ランプ
【図１】
2007255140.tif 000003
【図２】
2007255140.tif 000004
【図３】
2007255140.tif 000005
【図４】
2007255140.tif 000006
【図５】
2007255140.tif 000007